(57)【要約】【課題】表示部を収納可能な画像表示装置の消費電力を低減することができる技術を提供する。【解決手段】本発明の画像表示装置は、画像を表示する表示部と、前記表示部を収納可能な収納部と、画像を表示可能な前記表示部の領域を構成する複数の部分領域にそれぞれ対応する複数の画像処理部と、前記収納部に対する前記表示部の収納状態を検出する検出手段と、前記検出手段の検出結果に基づいて、対応する部分領域が前記収納部に収納されている画像処理部である収納処理部で画像処理が行われず、且つ、対応する部分領域が前記収納部に収納されていない画像処理部である非収納処理部で画像処理が行われるように、各画像処理部の動作を制御する制御手段と、を有する。【選択図】図１
2017003823.tif 000002
【特許請求の範囲】
【請求項１】
画像を表示する表示部と、
前記表示部を収納可能な収納部と、
画像を表示可能な前記表示部の領域を構成する複数の部分領域にそれぞれ対応する複数の画像処理部と、
前記収納部に対する前記表示部の収納状態を検出する検出手段と、
前記検出手段の検出結果に基づいて、対応する部分領域が前記収納部に収納されている画像処理部である収納処理部で画像処理が行われず、且つ、対応する部分領域が前記収納部に収納されていない画像処理部である非収納処理部で画像処理が行われるように、各画像処理部の動作を制御する制御手段と、
を有することを特徴とする画像表示装置。
【請求項２】
前記表示部は、可撓性を有し、
前記収納部は、前記表示部を巻き取ることで、前記表示部を収納する
ことを特徴とする請求項１に記載の画像表示装置。
【請求項３】
前記検出手段は、前記収納状態として、前記収納部による前記表示部の巻き取り量を検出する
ことを特徴とする請求項２に記載の画像表示装置。
【請求項４】
前記制御手段は、前記収納処理部に対して電力が供給されず、且つ、前記非収納処理部に対して電力が供給されるように、各画像処理部に対する電力供給を制御する
ことを特徴とする請求項１〜３のいずれか１項に記載の画像表示装置。
【請求項５】
前記制御手段は、前記表示部による表示が更新されるタイミングで、前記収納処理部に対する電力供給を停止する
ことを特徴とする請求項４に記載の画像表示装置。
【請求項６】
各画像処理部は、クロック信号の入力に応じて画像処理を実行し、
前記制御手段は、前記収納処理部に対してクロック信号が供給されず、且つ、前記非収納処理部に対してクロック信号が供給されるように、各画像処理部に対するクロック信号供給を制御する
ことを特徴とする請求項１〜５のいずれか１項に記載の画像表示装置。
【請求項７】
前記制御手段は、前記表示部による表示が更新されるタイミングで、前記収納処理部に対するクロック信号供給を停止する
ことを特徴とする請求項６に記載の画像表示装置。
【請求項８】
グラフィック画像を表すグラフィック画像データを生成する生成手段をさらに有し、
前記グラフィック画像が表示される領域であるグラフィック領域を含む部分領域に対応する画像処理部は、入力画像データに前記グラフィック画像データを合成する合成処理を行い、
前記グラフィック領域を含む部分領域である第１領域が前記収納部に収納されている場合に、前記生成手段は、前記収納部に収納されていない部分領域である第２領域内に、前記グラフィック領域を移動する
ことを特徴とする請求項１〜７のいずれか１項に記載の画像表示装置。
【請求項９】
前記第１領域が前記収納部から取り出された場合に、前記生成手段は、前記グラフィック領域を前記第１領域内に戻す
ことを特徴とする請求項８に記載の画像表示装置。
【請求項１０】
画像を表示する表示部と、
前記表示部を収納可能な収納部と、
画像を表示可能な前記表示部の領域を構成する複数の部分領域にそれぞれ対応する複数の画像処理部と、
を有する画像表示装置の制御方法であって、
前記収納部に対する前記表示部の収納状態を検出する検出ステップと、
前記検出ステップの検出結果に基づいて、対応する部分領域が前記収納部に収納されている画像処理部である収納処理部で画像処理が行われず、且つ、対応する部分領域が前記収納部に収納されていない画像処理部である非収納処理部で画像処理が行われるように、各画像処理部の動作を制御する制御ステップと、
を有することを特徴とする画像表示装置の制御方法。
【請求項１１】
前記表示部は、可撓性を有し、
前記収納部は、前記表示部を巻き取ることで、前記表示部を収納する
ことを特徴とする請求項１０に記載の画像表示装置の制御方法。
【請求項１２】
前記検出ステップでは、前記収納状態として、前記収納部による前記表示部の巻き取り量を検出する
ことを特徴とする請求項１１に記載の画像表示装置の制御方法。
【請求項１３】
前記制御ステップでは、前記収納処理部に対して電力が供給されず、且つ、前記非収納処理部に対して電力が供給されるように、各画像処理部に対する電力供給を制御する
ことを特徴とする請求項１０〜１２のいずれか１項に記載の画像表示装置の制御方法。
【請求項１４】
前記制御ステップでは、前記表示部による表示が更新されるタイミングで、前記収納処理部に対する電力供給を停止する
ことを特徴とする請求項１３に記載の画像表示装置の制御方法。
【請求項１５】
各画像処理部は、クロック信号の入力に応じて画像処理を実行し、
前記制御ステップでは、前記収納処理部に対してクロック信号が供給されず、且つ、前記非収納処理部に対してクロック信号が供給されるように、各画像処理部に対するクロック信号供給を制御する
ことを特徴とする請求項１０〜１４のいずれか１項に記載の画像表示装置の制御方法。
【請求項１６】
前記制御ステップでは、前記表示部による表示が更新されるタイミングで、前記収納処理部に対するクロック信号供給を停止する
ことを特徴とする請求項１５に記載の画像表示装置の制御方法。
【請求項１７】
グラフィック画像を表すグラフィック画像データを生成する生成ステップをさらに有し、
前記グラフィック画像が表示される領域であるグラフィック領域を含む部分領域に対応する画像処理部は、入力画像データに前記グラフィック画像データを合成する合成処理を行い、
前記グラフィック領域を含む部分領域である第１領域が前記収納部に収納されている場合に、前記生成ステップでは、前記収納部に収納されていない部分領域である第２領域内に、前記グラフィック領域を移動する
ことを特徴とする請求項１０〜１６のいずれか１項に記載の画像表示装置の制御方法。
【請求項１８】
前記第１領域が前記収納部から取り出された場合に、前記生成ステップでは、前記グラフィック領域を前記第１領域内に戻す
ことを特徴とする請求項１７に記載の画像表示装置の制御方法。
【請求項１９】
請求項１０〜１８のいずれか１項に記載の画像表示装置の制御方法の各ステップをコンピュータに実行させることを特徴とするプログラム。
【発明の詳細な説明】
【技術分野】
【０００１】
本発明は、画像表示装置及びその制御方法に関する。
【背景技術】
【０００２】
可撓性を有する表示パネル（表示部）である可撓パネルが知られている。可撓パネルに関する従来技術は、例えば、特許文献１に開示されている。特許文献１には、可撓パネルと、可撓パネルの湾曲状態を検出する変位センサとを有する画像表示装置が開示されている。特許文献１に開示の画像表示装置では、変位センサによって可撓パネルの湾曲が検出された場合に、可撓パネルの画像表示領域（画像の表示が行われる領域）の広さが制御される。
【０００３】
また、画像表示装置で画像を表示する際に画像処理が行われることがある。画像処理に関する従来技術は、例えば、特許文献２に開示されている。特許文献２には、複数の画像処理回路を有する画像処理装置が開示されている。複数の画像処理回路の間で、処理対象の画素は互いに異なる。特許文献２に開示の画像処理装置では、複数の画像処理回路のそれぞれについて、処理対象の画素が単位図形の内側に位置するか否かが判断される。そして、処理対象の画素が単位図形の外側に位置する画像処理回路の動作が停止される。
【０００４】
画像表示装置として、表示パネルを収納可能な画像表示装置が提案されている。しかしながら、特許文献１，２に開示の技術では、表示パネルの収納は考慮されないため、装置の消費電力を低減できないことがある。
【先行技術文献】
【特許文献】
【０００５】
【特許文献１】特開２０１１−１１８２４５号公報
【特許文献２】特開平１１-３４５２１８号公報
【発明の概要】
【発明が解決しようとする課題】
【０００６】
本発明は、表示部を収納可能な画像表示装置の消費電力を低減することができる技術を提供することを目的とする。
【課題を解決するための手段】
【０００７】
本発明の第１の態様は、
画像を表示する表示部と、
前記表示部を収納可能な収納部と、
画像を表示可能な前記表示部の領域を構成する複数の部分領域にそれぞれ対応する複数の画像処理部と、
前記収納部に対する前記表示部の収納状態を検出する検出手段と、
前記検出手段の検出結果に基づいて、対応する部分領域が前記収納部に収納されている画像処理部である収納処理部で画像処理が行われず、且つ、対応する部分領域が前記収納部に収納されていない画像処理部である非収納処理部で画像処理が行われるように、各画像処理部の動作を制御する制御手段と、
を有することを特徴とする画像表示装置である。
【０００８】
本発明の第２の態様は、
画像を表示する表示部と、
前記表示部を収納可能な収納部と、
画像を表示可能な前記表示部の領域を構成する複数の部分領域にそれぞれ対応する複数の画像処理部と、
を有する画像表示装置の制御方法であって、
前記収納部に対する前記表示部の収納状態を検出する検出ステップと、
前記検出ステップの検出結果に基づいて、対応する部分領域が前記収納部に収納されている画像処理部である収納処理部で画像処理が行われず、且つ、対応する部分領域が前記収納部に収納されていない画像処理部である非収納処理部で画像処理が行われるように、各画像処理部の動作を制御する制御ステップと、
を有することを特徴とする画像表示装置の制御方法である。
【０００９】
本発明の第３の態様は、上述した画像表示装置の制御方法の各ステップをコンピュータに実行させることを特徴とするプログラムである。
【発明の効果】
【００１０】
本発明によれば、表示部を収納可能な画像表示装置の消費電力を低減することができる。
【図面の簡単な説明】
【００１１】
【図１】実施例１に係る画像表示装置の機能構成の一例を示すブロック図
【図２】実施例１に係る表示部の収納状態の一例を示す図
【図３】実施例１に係る画像表示装置の動作の一例を示すフローチャート
【図４】実施例２に係る画像表示装置の機能構成の一例を示すブロック図
【図５】実施例２に係る表示部の収納状態の一例を示す図
【図６】実施例２に係る画像表示装置の動作の一例を示すフローチャート
【図７】実施例３に係る画像表示装置の機能構成の一例を示すブロック図
【図８】実施例３に係る画像表示装置の動作の一例を示すフローチャート
【図９】実施例１に係る表示部の収納方法の一例を示す図
【発明を実施するための形態】
【００１２】
＜実施例１＞
以下、本発明の実施例１に係る画像表示装置及びその制御方法について説明する。図１は、本実施例に係る画像表示装置１００の機能構成の一例を示すブロック図である。図１に示すように、画像表示装置１００は、集積回路１，８、収納状態検出部２、及び、表示部１０を有する。
【００１３】
表示部（表示パネル）１０は、入力された画像データに応じた画像を表示する。本実施例では、表示部１０として、可撓性を有する表示部（可搬パネル）が使用される。図１には図示されていないが、画像表示装置１００は、表示部１０を収納可能な収納部（ケース）を有する。本実施例では、収納部は、表示部１０をロール状に巻き取ることで、表示部１０を収納する。収納部に対する表示部１０の収納状態は調整可能である。具体的には、収納部による表示部１０の巻き取り量は調整可能である。巻き取り量（収納状態）は、例えば、表示対象のコンテンツ、画像表示装置１００の使用環境、等に応じて調整される。表示部１０の表示可能領域（画像を表示可能な領域）のうち、収納部に収納されている領域（収納領域）は、ユーザが確認できない領域である。そして、表示部１０の表示可能領域のうち、収納部に収納されていない領域（非収納領域）は、ユーザが確認できる領域である。巻き取り量を調整することにより、収納領域と非収納領域を調整することができる。
【００１４】
集積回路１は、第１画像処理部４、ＣＰＵ５、及び、同期信号生成部６を有する。集積
回路１は、各機能部の処理を制御するマスタとして機能する。第１画像処理部４、ＣＰＵ５、及び、同期信号生成部６には、個別に電力が供給される。例えば、ＣＰＵ５と同期信号生成部６に電力が供給されている状態で、第１画像処理部４への電力供給を停止することができる。
【００１５】
収納状態検出部２は、収納部に対する表示部１０の収納状態を検出する。本実施例では、収納状態として、収納部による表示部１０の巻き取り量が検出される。収納状態の検出結果に基づいて、収納領域と非収納領域の少なくとも一方が検出されてもよい。巻き取り量の検出は、例えば、表示部１０による表示のための垂直同期信号に同期して行われる。即ち、巻き取り量の検出は、表示部１０による表示が更新されるタイミング（更新タイミング）で繰り返し行われる。
【００１６】
なお、巻き取り量の検出を行うタイミングは特に限定されない。更新タイミング間の時間間隔とは異なる時間間隔が設定されてもよい。そして、設定された時間間隔で巻き取り量の検出が繰り返し行われてもよい。巻き取り量の変化が検出されてもよい。そして、巻き取り量が変化したタイミングで巻き取り量の検出が行われてもよい。
【００１７】
入力画像データ３は、外部から画像表示装置１００に入力された画像データである。入力画像データ３は、画像表示装置１００に接続された外部装置によって生成された画像データである。入力画像データ３は、例えば、ＰＣＩ等のデータ転送部９を用いて、第１画像処理部４と第２画像処理部７にそれぞれ入力される。また、入力画像データ３の同期信号（水平同期信号が垂直同期信号）は、同期信号生成部６に入力される。
【００１８】
なお、入力画像データ３は、ファイル形式の画像データのように、同期信号を含まない画像データであってもよい。また、入力画像データ３の取得方法は特に限定されない。例えば、画像表示装置１００がデコーダチップを有し、デコーダチップによって生成された画像データが、入力画像データとして使用されてもよい。画像データを記憶する記憶部を画像表示装置１００が有し、記憶部から取得された（読み出された）画像データが入力画像データとして使用されてもよい。
【００１９】
第１画像処理部４は、入力画像データ３に所定の画像処理を施す。所定の画像処理としては、例えば、色補正処理、ガンマ補正処理、スケーリング処理、ＩＰ変換処理、ノイズリダクション処理、等が行われる。所定の画像処理として１つの画像処理が行われてもよいし、所定の画像処理として複数の画像処理が行われてもよい。本実施例では、表示可能領域を構成する２つの部分領域（第１部分領域と第２部分領域）が予め設定されている。第１画像処理部４は、第１部分領域に対応する画像処理部であり、第１部分領域に表示すべき画像データに所定の画像処理を施す。具体的には、第１画像処理部４は、第１部分領域に表示すべき画像データである第１画像データと、それ以外の画像データとに入力画像データ３を分割する。即ち、第１画像処理部４は、第１画像データを入力画像データ３から抽出する。そして、第１画像処理部４は、第１画像データに所定の画像処理を施すことにより第１処理画像データを生成し、第１処理画像データを表示部１０に出力する。
【００２０】
なお、第１画像処理部４による画像処理の方法は、上記方法に限らない。例えば、入力画像データ３に所定の画像処理が施された後に、所定の画像処理が施された後の画像データから第１処理画像データが抽出されてもよい。
【００２１】
ＣＰＵ５は、画像表示装置１００が有する各機能部の処理を制御する。本実施例では、ＣＰＵ５は、データ転送部９を介して各機能部に接続されている。そして、ＣＰＵ５は、データ転送部９を介して各機能部に制御信号（制御のための信号（データ））を出力することにより、各機能部の処理を制御する。ＣＰＵ５は、不図示の記憶部からプログラム（
ソフトウェアプログラム）を読み出して実行することにより、画像表示装置１００の状態の管理、各画像処理部への電力供給の管理、画像処理回路の制御、情報表示データの管理、等を行う。ＣＰＵ５は、例えば、表示部１０の収納領域と非収納領域の少なくとも一方を管理し、各画像処理部への電力供給を制御し、各画像処理部に必要なパラメータを設定する。また、ＣＰＵ５は、表示すべきグラフィック画像を表すグラフィック画像データを生成し、データ転送部９を介して画像処理部にグラフィック画像データを転送する。
【００２２】
ＣＰＵ５は、第１画像処理部４による処理が不要な場合に、第１画像処理部４への電力供給を停止することができる。また、ＣＰＵ５は、第２画像処理部７による処理が不要な場合に、第２画像処理部７への電力供給を停止することもできる。本実施例では、ＣＰＵ５は、収納状態検出部２の検出結果に基づいて、収納処理部で画像処理が行われず、且つ、非収納処理部で画像処理が行われるように、各画像処理部の動作を制御する。具体的には、ＣＰＵ５は、収納処理部に対して電力が供給されず、且つ、非収納処理部に対して電力が供給されるように、各画像処理部に対する電力供給を制御する。収納処理部は、対応する部分領域が収納部に収納されている画像処理部であり、非収納処理部は、対応する部分領域が前記収納部に収納されていない画像処理部である。表示部１０の収納状態に依らず、ＣＰＵ５による制御は必要である。そのため、表示部１０の収納状態に依らず、ＣＰＵ５には電力が供給される。
【００２３】
収納処理部に対する電力供給の停止は、例えば、表示部１０による表示のための垂直同期信号に同期して行われる。即ち、収納処理部に対する電力供給の停止は、表示部１０による表示が更新されるタイミング（更新タイミング）で行われる。なお、収納処理部に対する電力供給の停止を行うタイミングは特に限定されない。更新タイミング間の時間間隔とは異なる時間間隔で並んだ複数のタイミングのいずれかのタイミングで、収納処理部に対する電力供給の停止が行われてもよい。巻き取り量の変化が検出されてもよい。そして、巻き取り量が変化したタイミングで収納処理部に対する電力供給の停止が行われてもよい。
【００２４】
同期信号生成部６は、表示部１０による表示のための同期信号（垂直同期信号と水平同期信号）１１を生成する。そして、同期信号生成部６は、生成した同期信号１１を第１画像処理部４と第２画像処理部７に供給する。第１画像処理部４と第２画像処理部７では、同期信号生成部６から供給された同期信号１１に同期して所定の画像処理が行われる。なお、同期信号１１の生成方法は特に限定されない。例えば、入力画像データ３の同期信号に基づいて同期信号１１が生成されてもよいし、そうでなくてもよい。画像表示装置１００に対する入力画像データ３の入力に応じて同期信号１１が生成されてもよいし、そうでなくてもよい。
【００２５】
集積回路８は、第２画像処理部７を有する。集積回路８は、集積回路１によって処理が制御されるスレーブとして機能する。第２画像処理部７は、入力画像データ３に所定の画像処理を施す。第２画像処理部７は、第２部分領域に対応する画像処理部であり、第２部分領域に表示すべき画像データに所定の画像処理を施す。具体的には、第２画像処理部７は、第２部分領域に表示すべき画像データである第２画像データと、それ以外の画像データとに入力画像データ３を分割する。即ち、第２画像処理部７は、第２画像データを入力画像データ３から抽出する。そして、第２画像処理部７は、第２画像データに所定の画像処理を施すことにより第２処理画像データを生成し、第２処理画像データを表示部１０に出力する。
【００２６】
なお、第２画像処理部７による画像処理の方法は、上記方法に限らない。例えば、入力画像データ３に所定の画像処理が施された後に、所定の画像処理が施された後の画像データから第２処理画像データが抽出されてもよい。
【００２７】
このように、本実施例では、第１処理画像データと第２処理画像データが表示部１０に入力される。その結果、第１処理画像データに応じた画像が第１部分領域に表示され、第２処理画像データに応じた画像が第２部分領域に表示される。
【００２８】
なお、各機能部への電力の供給方法は特に限定されない。例えば、複数の機能部間で共通の電源が使用されてもよいし、そうでなくてもよい。
【００２９】
次に、図２（Ａ），２（Ｂ）を用いて、表示部１０の収納状態と、画像表示装置１００の動作とについて説明する。図２（Ａ），２（Ｂ）において、符号１０１は上述した収納部を示し、符号１０２は持ち手を示す。ユーザは、例えば、持ち手１０２を矢印方向（収納方向；取り出し方向）に移動することにより、表示部１０を収納部１０１に収納したり、表示部１０を収納部１０１から取り出し（引き出し）たりすることができる。収納状態検出部２は、例えば、収納部１０１に設けられている。また、図２（Ａ），２（Ｂ）において、符号１０３は第１部分領域を示し、符号１０４は第２部分領域を示す。なお、図２（Ａ），２（Ｂ）では第１部分領域の形状とサイズが第２部分領域と等しいが、第１部分領域の形状とサイズの少なくとも一方は第２部分領域と異なっていてもよい。
【００３０】
また、図２（Ａ），２（Ｂ）において、ＨＡＣＴは、水平方向（収納方向）における非収納領域のサイズである。収納状態検出部２では、巻き取り量Ｍとして、水平方向における収納領域のサイズ（表示素子数）が検出される。ここで、水平方向における表示可能領域のサイズがＸである場合について説明する。この場合、サイズ（表示可能サイズ）Ｘから巻き取り量Ｍを減算することにより、サイズ（非収納サイズ）ＨＡＣＴを算出することができる。本実施例では、収納方向が水平方向であるため、垂直方向における非収納領域のサイズは変化しない。
【００３１】
ＣＰＵ５は、巻き取り量Ｍから非収納サイズＨＡＣＴを算出し、非収納サイズＨＡＣＴに基づいて、非収納領域に第１部分領域１０３と第２部分領域１０４が含まれているか否かを判断する。そして、ＣＰＵ５は、非収納領域の判断結果に基づいて、第１画像処理部４と第２画像処理部７の動作を制御する。
【００３２】
図２（Ａ）の例では、非収納領域に第１部分領域１０３と第２部分領域１０４が含まれている。この場合、ＣＰＵ５は、第１画像処理部４と第２画像処理部７の両方に電力を供給する。その結果、第１画像処理部４と第２画像処理部７の両方で画像処理が行われ、第１部分領域１０３と第２部分領域１０４に画像が表示される。
【００３３】
図２（Ｂ）の例では、非収納領域に第１部分領域１０３が含まれており、非収納領域に第２部分領域１０４が含まれていない。この場合、ＣＰＵ５は、第１画像処理部４に電力を供給し、第２画像処理部７に電力を供給しない。その結果、図２（Ａ）と同様に、第１画像処理部４で画像処理が行われ、第１部分領域１０３に画像が表示される。一方、図２（Ａ）とは異なり、第２画像処理部７では画像処理が行われず、第２部分領域１０４には画像が表示されない。
【００３４】
非収納領域に第１部分領域１０３と第２部分領域１０４のいずれも含まれていない場合には、ＣＰＵ５は、第１画像処理部４にも第２画像処理部７にも電力を供給しない。その結果、第１画像処理部４でも第２画像処理部７でも画像処理は行われず、第１部分領域１０３にも第２部分領域１０４にも画像は表示されない。なお、表示部１０の収納状態に依らず、ＣＰＵ５には電力が供給される。非収納領域に第１部分領域１０３が含まれていない場合、集積回路１が有する複数の機能部のうち、ＣＰＵ５以外の全ての機能部に対する電力供給が停止されてもよい。集積回路８が第２画像処理部７を含む複数の機能部を有し
、且つ、非収納領域に第２部分領域１０４が含まれていない場合、集積回路８が有する全ての機能部に対する電力供給が停止されてもよい。
【００３５】
図２（Ａ），２（Ｂ）の例では、持ち手１０２に近い部分領域にマスタが対応付けられており、持ち手１０２から遠い部分領域にスレーブが対応付けられている。具体的には、持ち手１０２に隣接する第１部分領域１０３にマスタが対応付けられており、持ち手１０２から離れた第２部分領域１０４にスレーブが対応付けられている。しかしながら、マスタと部分領域の対応関係、及び、スレーブと部分領域の対応関係はこれに限らない。例えば、持ち手１０２から遠い部分領域にマスタが対応付けられていてもよい。そして、持ち手１０２に近い部分領域にスレーブが対応付けられていてもよい。このような対応関係においては、非収納領域に第２部分領域が含まれ、非収納領域に第１部分領域が含まれないことがある。そのような場合には、ＣＰＵ５は、第１画像処理部４に電力を供給せず、第２画像処理部７に電力を供給すればよい。
【００３６】
なお、入力画像データ３が画像表示装置１００に入力されていない期間、表示部１０の表示が停止（ミュート）されている期間、等のように画像処理が不要となる期間で、全ての画像処理部に対する電力供給が停止されてもよい。また、入力画像データの種類に応じて各画像処理部の動作が制御されてもよい。例えば、画像処理を施すべきでないコンテンツの画像データが入力画像データとして使用される場合に、全ての画像処理部で画像処理が省略されるように、各画像処理部の動作が制御されてもよい。
【００３７】
次に、図３を用いて、画像表示装置１００の動作について説明する。図３は、画像表示装置１００の動作の一例を示すフローチャートである。図３のフローチャートは、例えば、同期信号生成部６で生成された垂直同期信号に同期して繰り返し行われる。即ち、図３のフローチャートは、表示部１０による表示が更新されるタイミング（更新タイミング）で繰り返し実行される。なお、図３のフローチャートの実行タイミングは特に限定されない。更新タイミング間の時間間隔とは異なる時間間隔が設定されてもよい。そして、設定された時間間隔で図３のフローチャートが繰り返し実行されてもよい。巻き取り量の変化が検出されてもよい。そして、巻き取り量が変化したタイミングで図３のフローチャートが実行されてもよい。
【００３８】
まず、ＣＰＵ５が、収納状態検出部２の検出結果（巻き取り量Ｍ）に基づいて、表示可能領域全体が収納領域であるか否かを判断する（Ｓ１）。具体的には、ＣＰＵ５が、巻き取り量Ｍから非収納サイズＨＡＣＴを算出し、非収納サイズＨＡＣＴが０か否かを判断する。非収納サイズＨＡＣＴ＝０の場合には、表示可能領域全体が収納領域であると判断され、Ｓ２に処理が進められる。非収納サイズＨＡＣＴ≠０の場合には、表示可能領域の少なくとも一部が非収納領域であると判断され、Ｓ４に処理が進められる。
【００３９】
Ｓ２では、ＣＰＵ５が、第１画像処理部４による画像処理が行われないように、第１画像処理部４の動作を制御する。具体的には、ＣＰＵ５は、第１画像処理部４への電力供給が行われないように、第１画像処理部４への電力供給を制御する。次に、ＣＰＵ５が、第２画像処理部７による画像処理が行われないように、第２画像処理部７の動作を制御する（Ｓ３）。具体的には、ＣＰＵ５は、第２画像処理部７への電力供給が行われないように、第２画像処理部７への電力供給を制御する。
【００４０】
Ｓ４では、ＣＰＵ５が、収納状態検出部２の検出結果（巻き取り量Ｍ）に基づいて、非収納領域が第１部分領域１０３のみを含むか否かを判断する。具体的には、ＣＰＵ５が、Ｓ１で算出された非収納サイズＨＡＣＴがＸ／２以下であるか否かを判断する。Ｘは表示可能サイズである。非収納サイズＨＡＣＴ≦Ｘ／２の場合には、非収納領域が第１部分領域１０３のみを含むと判断され、Ｓ５に処理が進められる。非収納サイズＨＡＣＴ＞Ｘ／
２の場合には、非収納領域が全ての部分領域を含むと判断され、Ｓ７に処理が進められる。
【００４１】
Ｓ５では、ＣＰＵ５が、第１画像処理部４による画像処理が行われるように、第１画像処理部４の動作を制御する。具体的には、ＣＰＵ５は、第１画像処理部４への電力供給が行われるように、第１画像処理部４への電力供給を制御する。次に、ＣＰＵ５が、第２画像処理部７による画像処理が行われないように、第２画像処理部７の動作を制御する（Ｓ６）。具体的には、ＣＰＵ５は、第２画像処理部７への電力供給が行われないように、第２画像処理部７への電力供給を制御する。
【００４２】
Ｓ７では、ＣＰＵ５が、第１画像処理部４による画像処理が行われるように、第１画像処理部４の動作を制御する。具体的には、ＣＰＵ５は、第１画像処理部４への電力供給が行われるように、第１画像処理部４への電力供給を制御する。次に、ＣＰＵ５が、第２画像処理部７による画像処理が行われるように、第２画像処理部７の動作を制御する（Ｓ８）。具体的には、ＣＰＵ５は、第２画像処理部７への電力供給が行われるように、第２画像処理部７への電力供給を制御する。
【００４３】
以上述べたように、本実施例によれば、収納部に対する表示部の収納状態が検出される。そして、収納状態の検出結果に基づいて、収納処理部で画像処理が行われず、且つ、非収納処理部で画像処理が行われるように、各画像処理部の動作が制御される。収納領域はユーザが確認できない領域であるため、ユーザは、収納処理部による画像処理の結果を確認することはできない。そのため、収納処理部で画像処理が行われなくても問題は無く、収納部による画像処理の実行を抑制することで、ユーザによる画像確認に影響を与えることなく、画像表示装置の消費電力を効果的に低減することができる。
【００４４】
なお、本実施例では、収納処理部に対する電力供給を行わない例を説明したが、これに限らない。収納処理部による画像処理の実行を抑制できれば、収納処理部の画像処理による電力消費を抑制でき、消費電力を低減することができる。そのため、収納処理部による画像処理の実行は、どのような方法で抑制されてもよい。ここで、各画像処理部がクロック信号の入力に応じて画像処理を実行する構成を考える。この場合、収納処理部に対してクロック信号が供給されず、且つ、非収納処理部に対してクロック信号が供給されるように、各画像処理部に対するクロック信号供給が制御されてもよい。それにより、収納処理部に対するクロック信号の供給、収納処理部の画像処理、等による電力消費を抑制でき、消費電力を低減することができる。電力供給とクロック信号供給の両方が制御されてもよい。クロック信号は、同期信号生成部で生成された同期信号であってもよいし、そうでなくてもよい。
【００４５】
なお、収納処理部に対するクロック信号供給を停止するタイミングは特に限定されない。例えば、表示部による表示が更新されるタイミング（更新タイミング）で、収納処理部に対するクロック信号供給が停止されてもよい。更新タイミング間の時間間隔とは異なる時間間隔で並んだ複数のタイミングのいずれかのタイミングで、収納処理部に対するクロック信号供給が停止されてもよい。巻き取り量が変化したタイミングで収納処理部に対するクロック信号供給が停止されてもよい。
【００４６】
なお、巻き取り量以外の値（情報）が収納状態として検出されてもよい。例えば、非収納領域のサイズが収納状態として検出されてもよい。非収納領域を示す領域情報が、収納状態として取得されてもよい。収納領域を示す領域情報が、収納状態として取得されてもよい。
【００４７】
なお、本実施例では、収納方向に並んだ２つの部分領域によって表示可能領域が構成さ
れる例を説明したが、これに限らない。例えば、表示可能領域を構成する複数の部分領域として、３つ以上の部分領域が使用されてもよい。そして、３つ以上の部分領域にそれぞれ対応する３つ以上の画像処理部が使用されてもよい。マトリクス状に並んだ複数の領域が、複数の部分領域として使用されてもよい。千鳥格子上に並んだ複数の領域が、複数の部分領域として使用されてもよい。
【００４８】
なお、本実施例では、表示部として可撓パネルが使用され、表示部を巻き取ることで表示部が収納される例を説明したが、これに限らない。また、本実施例では、収納方向が水平方向である場合の例を説明したが、これに限らない。例えば、図９（Ａ），９（Ｂ）に示すように、表示部を湾曲させずに表示部を垂直方向や斜め方向にスライドさせることにより、表示部の収納状態が変更されてもよい。図９（Ａ），９（Ｂ）の収納方法の場合、表示部は可撓性を有していなくてもよい。
【００４９】
なお、図３のＳ１やＳ４の処理で非収納サイズＨＡＣＴと比較する値として、マージンＭＧを用いて決定された値が使用されてもよい。例えば、Ｓ１では、非収納サイズＨＡＣＴがＭＧ以下であるか否かが判断されてもよい。そして、Ｓ４では、非収納サイズＨＡＣＴがＸ／２＋ＭＧ以下であるか否かが判断されてもよい。
【００５０】
＜実施例２＞
以下、本発明の実施例２に係る画像表示装置及びその制御方法について説明する。なお、以下の説明において、実施例１と同じ機能部やデータには実施例１と同じ符号を付し、その説明は省略する。図４は、本実施例に係る画像表示装置２００の機能構成の一例を示すブロック図である。図４に示すように、画像表示装置２００は、集積回路１、収納状態検出部２、表示部１０、第２画像処理部７、第３画像処理部２１、及び、第４画像処理部２２を有する。
【００５１】
本実施例では、表示可能領域を構成する４つの部分領域（第１部分領域、第２部分領域、第３部分領域、及び、第４部分領域）が予め設定されている。第３画像処理部２１および第４画像処理部２２は、第１画像処理部４および第２画像処理部７と同様に、入力画像データ３に所定の画像処理を施す。
【００５２】
第３画像処理部２１は、第３部分領域に対応する画像処理部であり、第３部分領域に表示すべき画像データに所定の画像処理を施す。具体的には、第３画像処理部２１は、第３部分領域に表示すべき画像データである第３画像データを入力画像データ３から抽出する。そして、第３画像処理部２１は、第３画像データに所定の画像処理を施すことにより第３処理画像データを生成し、第３処理画像データを表示部１０に出力する。
【００５３】
第４画像処理部２２は、第４部分領域に対応する画像処理部であり、第４部分領域に表示すべき画像データに所定の画像処理を施す。具体的には、第４画像処理部２２は、第４部分領域に表示すべき画像データである第４画像データを入力画像データ３から抽出する。そして、第４画像処理部２２は、第４画像データに所定の画像処理を施すことにより第４処理画像データを生成し、第４処理画像データを表示部１０に出力する。
【００５４】
このように、本実施例では、第１処理画像データ、第２処理画像データ、第３処理画像データ、及び、第４処理画像データが表示部１０に入力される。その結果、第１処理画像データに応じた画像が第１部分領域に表示され、第２処理画像データに応じた画像が第２部分領域に表示され、第３処理画像データに応じた画像が第３部分領域に表示され、第４処理画像データに応じた画像が第４部分領域に表示される。
【００５５】
次に、図５を用いて、表示部１０の収納状態と、画像表示装置２００の動作とについて
説明する。図５において、符号２０１は第１部分領域を示し、符号２０２は第２部分領域を示し、符号２０３は第３部分領域を示し、符号２０４は第４部分領域を示す。また、図５において、Ｂ１は、水平方向（収納方向）における第１部分領域２０１のサイズであり、Ｂ２は、水平方向における第２部分領域２０２のサイズである。そして、Ｂ３は、水平方向における第３部分領域２０３のサイズであり、Ｂ４は、水平方向における第４部分領域２０４のサイズである。図５の例では、表示部１０を収納部１０１から引き出すと、第１部分領域２０１、第２部分領域２０２、第３部分領域２０３、及び、第４部分領域２０４がその順番で現れる。そして、表示部１０を収納部１０１に収納すると、第４部分領域２０４、第３部分領域２０３、第２部分領域２０２、及び、第１部分領域２０１がその順番で収納部１０１に収納される。なお、複数の部分領域間で部分領域の形状とサイズが等しくてもよいし、そうでなくてもよい。複数の部分領域の少なくともいずれかの形状とサイズが、他の部分領域と異なっていてもよい。
【００５６】
非収納領域が第１部分領域２０１を含む場合には、ＣＰＵ５は、第１画像処理部４に電力が供給されるように、第１画像処理部４に対する電力供給を制御する。その結果、第１画像処理部４で画像処理が行われ、第１部分領域２０１に画像が表示される。非収納領域が第２部分領域２０２を含む場合には、ＣＰＵ５は、第２画像処理部７に電力が供給されるように、第２画像処理部７に対する電力供給を制御する。その結果、第２画像処理部７で画像処理が行われ、第２部分領域２０２に画像が表示される。非収納領域が第３部分領域２０３を含む場合には、ＣＰＵ５は、第３画像処理部２１に電力が供給されるように、第３画像処理部２１に対する電力供給を制御する。その結果、第３画像処理部２１で画像処理が行われ、第３部分領域２０３に画像が表示される。非収納領域が第４部分領域２０４を含む場合には、ＣＰＵ５は、第４画像処理部２２に電力が供給されるように、第４画像処理部２２に対する電力供給を制御する。その結果、第４画像処理部２２で画像処理が行われ、第４部分領域２０４に画像が表示される。
【００５７】
次に、図６を用いて、画像表示装置２００の動作について説明する。図６は、画像表示装置２００の動作の一例を示すフローチャートである。図６のフローチャートを実行するタイミングは、図３のフローチャートを実行するタイミングと同様に、特に限定されない。
【００５８】
まず、ＣＰＵ５が、収納状態検出部２の検出結果（巻き取り量Ｍ）に基づいて、表示可能領域全体が収納領域であるか否かを判断する（Ｓ１０１）。具体的には、ＣＰＵ５が、巻き取り量Ｍから非収納サイズＨＡＣＴを算出し、非収納サイズＨＡＣＴが０か否かを判断する。非収納サイズＨＡＣＴ＝０の場合には、表示可能領域全体が収納領域であると判断され、Ｓ１０２に処理が進められる。非収納サイズＨＡＣＴ≠０の場合には、表示可能領域の少なくとも一部が非収納領域であると判断され、Ｓ１０６に処理が進められる。
【００５９】
Ｓ１０２では、ＣＰＵ５が、第１画像処理部４による画像処理が行われないように、第１画像処理部４の動作を制御する。具体的には、ＣＰＵ５は、第１画像処理部４への電力供給が行われないように、第１画像処理部４への電力供給を制御する。次に、ＣＰＵ５が、第２画像処理部７による画像処理が行われないように、第２画像処理部７の動作を制御する（Ｓ１０３）。具体的には、ＣＰＵ５は、第２画像処理部７への電力供給が行われないように、第２画像処理部７への電力供給を制御する。そして、ＣＰＵ５が、第３画像処理部２１による画像処理が行われないように、第３画像処理部２１の動作を制御する（Ｓ１０４）。具体的には、ＣＰＵ５は、第３画像処理部２１への電力供給が行われないように、第３画像処理部２１への電力供給を制御する。次に、ＣＰＵ５が、第４画像処理部２２による画像処理が行われないように、第４画像処理部２２の動作を制御する（Ｓ１０５）。具体的には、ＣＰＵ５は、第４画像処理部２２への電力供給が行われないように、第４画像処理部２２への電力供給を制御する。
【００６０】
Ｓ１０６では、ＣＰＵ５が、収納状態検出部２の検出結果（巻き取り量Ｍ）に基づいて、非収納領域が第１部分領域２０１のみを含むか否かを判断する。具体的には、ＣＰＵ５が、Ｓ１０１で算出された非収納サイズＨＡＣＴがＢ１以下であるか否かを判断する。Ｂ１は、水平方向における第１部分領域２０１のサイズである。非収納サイズＨＡＣＴ≦Ｂ１の場合には、非収納領域が第１部分領域２０１のみを含むと判断され、Ｓ１０７に処理が進められる。非収納サイズＨＡＣＴ＞Ｂ１の場合には、非収納領域が第１部分領域２０１以外の部分領域をさらに含むと判断され、Ｓ１１１に処理が進められる。
【００６１】
Ｓ１０７では、ＣＰＵ５が、第１画像処理部４による画像処理が行われるように、第１画像処理部４の動作を制御する。具体的には、ＣＰＵ５は、第１画像処理部４への電力供給が行われるように、第１画像処理部４への電力供給を制御する。次に、ＣＰＵ５が、第２画像処理部７による画像処理が行われないように、第２画像処理部７の動作を制御する（Ｓ１０８）。具体的には、ＣＰＵ５は、第２画像処理部７への電力供給が行われないように、第２画像処理部７への電力供給を制御する。そして、ＣＰＵ５が、第３画像処理部２１による画像処理が行われないように、第３画像処理部２１の動作を制御する（Ｓ１０９）。具体的には、ＣＰＵ５は、第３画像処理部２１への電力供給が行われないように、第３画像処理部２１への電力供給を制御する。次に、ＣＰＵ５が、第４画像処理部２２による画像処理が行われないように、第４画像処理部２２の動作を制御する（Ｓ１１０）。具体的には、ＣＰＵ５は、第４画像処理部２２への電力供給が行われないように、第４画像処理部２２への電力供給を制御する。
【００６２】
Ｓ１１１では、ＣＰＵ５が、収納状態検出部２の検出結果（巻き取り量Ｍ）に基づいて、非収納領域が第１部分領域２０１と第２部分領域２０２のみを含むか否かを判断する。具体的には、ＣＰＵ５が、Ｓ１０１で算出された非収納サイズＨＡＣＴがＢ１＋Ｂ２以下であるか否かを判断する。Ｂ２は、水平方向における第２部分領域２０２のサイズである。非収納サイズＨＡＣＴ≦Ｂ１＋Ｂ２の場合には、非収納領域が第１部分領域２０１と第２部分領域２０２のみを含むと判断され、Ｓ１１２に処理が進められる。非収納サイズＨＡＣＴ＞Ｂ１＋Ｂ２の場合には、非収納領域が第１部分領域２０１と第２部分領域２０２以外の部分領域をさらに含むと判断され、Ｓ１１６に処理が進められる。
【００６３】
Ｓ１１２では、ＣＰＵ５が、第１画像処理部４による画像処理が行われるように、第１画像処理部４の動作を制御する。具体的には、ＣＰＵ５は、第１画像処理部４への電力供給が行われるように、第１画像処理部４への電力供給を制御する。次に、ＣＰＵ５が、第２画像処理部７による画像処理が行われるように、第２画像処理部７の動作を制御する（Ｓ１１３）。具体的には、ＣＰＵ５は、第２画像処理部７への電力供給が行われるように、第２画像処理部７への電力供給を制御する。そして、ＣＰＵ５が、第３画像処理部２１による画像処理が行われないように、第３画像処理部２１の動作を制御する（Ｓ１１４）。具体的には、ＣＰＵ５は、第３画像処理部２１への電力供給が行われないように、第３画像処理部２１への電力供給を制御する。次に、ＣＰＵ５が、第４画像処理部２２による画像処理が行われないように、第４画像処理部２２の動作を制御する（Ｓ１１５）。具体的には、ＣＰＵ５は、第４画像処理部２２への電力供給が行われないように、第４画像処理部２２への電力供給を制御する。
【００６４】
Ｓ１１６では、ＣＰＵ５が、収納状態検出部２の検出結果（巻き取り量Ｍ）に基づいて、非収納領域が第１部分領域２０１、第２部分領域２０２、及び、第３部分領域２０３のみを含むか否かを判断する。具体的には、ＣＰＵ５が、Ｓ１０１で算出された非収納サイズＨＡＣＴがＢ１＋Ｂ２＋Ｂ３以下であるか否かを判断する。Ｂ３は、水平方向における第３部分領域２０３のサイズである。非収納サイズＨＡＣＴ≦Ｂ１＋Ｂ２＋Ｂ３の場合には、非収納領域が第１部分領域２０１、第２部分領域２０２、及び、第３部分領域２０３
のみを含むと判断され、Ｓ１１７に処理が進められる。非収納サイズＨＡＣＴ＞Ｂ１＋Ｂ２＋Ｂ３の場合には、非収納領域が全ての部分領域を含むと判断され、Ｓ１２１に処理が進められる。
【００６５】
Ｓ１１７では、ＣＰＵ５が、第１画像処理部４による画像処理が行われるように、第１画像処理部４の動作を制御する。具体的には、ＣＰＵ５は、第１画像処理部４への電力供給が行われるように、第１画像処理部４への電力供給を制御する。次に、ＣＰＵ５が、第２画像処理部７による画像処理が行われるように、第２画像処理部７の動作を制御する（Ｓ１１８）。具体的には、ＣＰＵ５は、第２画像処理部７への電力供給が行われるように、第２画像処理部７への電力供給を制御する。そして、ＣＰＵ５が、第３画像処理部２１による画像処理が行われるように、第３画像処理部２１の動作を制御する（Ｓ１１９）。具体的には、ＣＰＵ５は、第３画像処理部２１への電力供給が行われるように、第３画像処理部２１への電力供給を制御する。次に、ＣＰＵ５が、第４画像処理部２２による画像処理が行われないように、第４画像処理部２２の動作を制御する（Ｓ１２０）。具体的には、ＣＰＵ５は、第４画像処理部２２への電力供給が行われないように、第４画像処理部２２への電力供給を制御する。
【００６６】
Ｓ１２１では、ＣＰＵ５が、第１画像処理部４による画像処理が行われるように、第１画像処理部４の動作を制御する。具体的には、ＣＰＵ５は、第１画像処理部４への電力供給が行われるように、第１画像処理部４への電力供給を制御する。次に、ＣＰＵ５が、第２画像処理部７による画像処理が行われるように、第２画像処理部７の動作を制御する（Ｓ１２２）。具体的には、ＣＰＵ５は、第２画像処理部７への電力供給が行われるように、第２画像処理部７への電力供給を制御する。そして、ＣＰＵ５が、第３画像処理部２１による画像処理が行われるように、第３画像処理部２１の動作を制御する（Ｓ１２３）。具体的には、ＣＰＵ５は、第３画像処理部２１への電力供給が行われるように、第３画像処理部２１への電力供給を制御する。次に、ＣＰＵ５が、第４画像処理部２２による画像処理が行われるように、第４画像処理部２２の動作を制御する（Ｓ１２４）。具体的には、ＣＰＵ５は、第４画像処理部２２への電力供給が行われるように、第４画像処理部２２への電力供給を制御する。
【００６７】
以上述べたように、本実施例によれば、実施例１と同様に、収納部に対する表示部の収納状態が検出される。そして、収納状態の検出結果に基づいて、収納処理部で画像処理が行われず、且つ、非収納処理部で画像処理が行われるように、各画像処理部の動作が制御される。それにより、ユーザによる画像確認に影響を与えることなく、画像表示装置の消費電力を効果的に低減することができる。
【００６８】
なお、図６のＳ１０１、Ｓ１０６、Ｓ１１１、及び、Ｓ１１６の処理で非収納サイズＨＡＣＴと比較する値として、マージンＭＧを用いて決定された値が使用されてもよい。例えば、Ｓ１０１では、非収納サイズＨＡＣＴがＭＧ以下であるか否かが判断されてもよい。Ｓ１０６では、非収納サイズＨＡＣＴがＢ１＋ＭＧ以下であるか否かが判断されてもよい。Ｓ１１１では、非収納サイズＨＡＣＴがＢ１＋Ｂ２＋ＭＧ以下であるか否かが判断されてもよい。そして、Ｓ１１６では、非収納サイズＨＡＣＴがＢ１＋Ｂ２＋Ｂ３＋ＭＧ以下であるか否かが判断されてもよい。
【００６９】
＜実施例３＞
以下、本発明の実施例３に係る画像表示装置及びその制御方法について説明する。なお、以下の説明において、実施例１と同じ機能部やデータには実施例１と同じ符号を付し、その説明は省略する。図７は、本実施例に係る画像表示装置３００の機能構成の一例を示すブロック図である。図７に示すように、画像表示装置３００は、集積回路１，３１、収納状態検出部２、及び、表示部１０を有する。
【００７０】
実施例１で述べたように、ＣＰＵ５は、グラフィック画像データを生成する。グラフィック画像データとして、例えば、コンテンツの選択に使用されるメニュー画像を表す画像データが生成される。ＣＰＵ５は、第１グラフィック画像（第１部分領域に表示すべきグラフィック画像）を表す第１グラフィック画像データを、第１画像処理部４に出力する。第１画像処理部４にグラフィック画像データが入力されると、第１画像処理部４は、実施例１で述べた所定の画像処理と、入力画像データにグラフィック画像データを合成する合成処理とを行う。その結果、グラフィック画像が重ねられた画像を表す画像データが、第１処理画像データとして生成される。そして、第１部分領域内にグラフィック画像が表示される。合成処理は、実施例１で述べた所定の画像処理の前に行われてもよいし、所定の画像処理の後に行われてもよい。また、第２部分領域にグラフィック画像を表示する場合に、ＣＰＵ５は、第２グラフィック画像（第２部分領域に表示すべきグラフィック画像）を表す第２グラフィック画像データの生成を、集積回路３１に指示する。
【００７１】
集積回路３１は、ＣＰＵ３２と第２画像処理部７を有する。集積回路３１は、集積回路１によって処理が制御されるスレーブとして機能する。ＣＰＵ３２と第２画像処理部７には、個別に電力が供給される。ＣＰＵ３２は、ＣＰＵ５からの指示に応じて、第２グラフィック画像データを生成する。そして、ＣＰＵ３２は、第２グラフィック画像データを第２画像処理部７に出力する。第２画像処理部７にグラフィック画像データが入力されると、第２画像処理部７は、実施例１で述べた所定の画像処理と、入力画像データにグラフィック画像データを合成する合成処理とを行う。その結果、グラフィック画像が重ねられた画像を表す画像データが、第２処理画像データとして生成される。そして、第２部分領域内にグラフィック画像が表示される。
【００７２】
本実施例では、グラフィック領域（グラフィック画像が表示される領域）を含む部分領域である第１領域が収納部に収納されている場合に、収納部に収納されていない部分領域である第２領域内に、グラフィック領域を移動させる制御を、ＣＰＵ５，３２が行う。また、第１領域が収納部から取り出された場合に、グラフィック領域を第１領域内に戻す制御を、ＣＰＵ５，３２が行う。グラフィック領域を第１領域内に戻す制御は省略されてもよい。
【００７３】
グラフィック領域の移動方法は特に限定されないが、本実施例では、グラフィック画像データの転送によってグラフィック領域の移動を実現する。具体的には、ＣＰＵ５とＣＰＵ３２の間で第２グラフィック画像データを転送することにより、第２グラフィック画像の表示領域の移動を実現する。
【００７４】
例えば、非収納領域が第１部分領域１０３と第２部分領域１０４の両方を含むように表示部１０が引き出されると、ＣＰＵ５が、第２グラフィック画像データの生成をＣＰＵ３２に指示する。ＣＰＵ３２は、ＣＰＵ５からの指示に応じて第２グラフィック画像データを生成し、生成した第２グラフィック画像データを第２画像処理部７に出力する。その結果、第２部分領域１０４内に第２グラフィック画像が表示される。
【００７５】
非収納領域が第２部分領域１０４を含まないように表示部１０が巻き取られると、ＣＰＵ３２が、ＣＰＵ５に第２グラフィック画像データを転送する。ＣＰＵ５は、受信した第２グラフィック画像データを第１画像処理部４に出力する。その結果、第１部分領域１０３内に第２グラフィック画像が表示される。即ち、第２グラフィック画像の表示領域が、第２部分領域１０４内から第１部分領域１０３内に移動される。その後、ＣＰＵ５が、集積回路３１への電力供給を停止する。
【００７６】
そして、非収納領域が第２部分領域１０４を含むように表示部１０が再び引き出される
と、ＣＰＵ５が、集積回路３１への電力供給を開始する。その後、ＣＰＵ５が、ＣＰＵ３２に第２グラフィック画像データを転送する。ＣＰＵ３２は、受信した第２グラフィック画像データを第２画像処理部７に出力する。その結果、第２部分領域１０４内に第２グラフィック画像が表示される。即ち、第２グラフィック画像の表示領域が、第２部分領域１０４内に戻される。
【００７７】
なお、収納部１０１からの表示部１０の引き出しが開始された際に、ＣＰＵ５が、第２グラフィック画像データを生成し、生成した第２グラフィック画像データを第１画像処理部４に出力してもよい。それにより、非収納領域が第２部分領域１０４を含むタイミングよりも前にユーザが第２グラフィック画像を確認可能となる。また、ＣＰＵ３２を使用せずに、常にＣＰＵ５で第２グラフィック画像データが生成されてもよい。その場合、図１に示す構成で本実施例の処理が実現できる。
【００７８】
なお、本実施例の処理を実施例１に組み合わせたため、本実施例では、必然的に、第１部分領域１０３が第２領域として使用され、第２部分領域が第１領域として使用される。但し、第１領域と第２領域は特に限定されるものではない。最後に収納される部分領域以外の部分領域を第１領域として使用でき、第１領域よりも後に収納される部分領域を第２領域として使用できる。
【００７９】
次に、図８を用いて、画像表示装置２００の動作について説明する。図８は、画像表示装置３００の動作の一例を示すフローチャートである。図８のフローチャートを実行するタイミングは、図３のフローチャートを実行するタイミングと同様に、特に限定されない。なお、図８のフローチャートと並列に図３のフローチャートも実行される。
【００８０】
まず、ＣＰＵ５が、収納状態検出部２で得られた巻き取り量Ｍが（Ｘ／２）±ＭＧの範囲内の値であるか否かを判断する（Ｓ２０１）。Ｘは表示可能サイズであり、ＭＧはマージンである。巻き取り量Ｍが（Ｘ／２）±ＭＧの範囲内の値である場合には、Ｓ２０２に処理が進められ、巻き取り量Ｍが（Ｘ／２）±ＭＧの範囲外の値である場合には、本フローチャートが終了される。
【００８１】
Ｓ２０２では、ＣＰＵ５が、収納状態検出部２で得られた巻き取り量Ｍの時間変化に基づいて、表示部１０の引き出しが行われているか否かを判断する。巻き取り量Ｍが減少する時間変化（マイナス変化）の場合には、表示部１０の引き出しが行われていると判断され、Ｓ２０３に処理が進められる。それ以外の場合には、表示部１０の引き出しが行われていないと判断され、Ｓ２０４に処理が進められる。
【００８２】
巻き取り量Ｍが（Ｘ／２）±ＭＧの範囲内の値であり、且つ、表示部１０の引き出しが行われている場合には、非収納領域に第２部分領域１０４が含まれることとなる。そのため、Ｓ２０３では、ＣＰＵ５が、データ転送部９を介してＣＰＵ３２に、第２グラフィック画像データを転送する。ＣＰＵ５が第２グラフィック画像データを保持していない場合には、ＣＰＵ５が、データ転送部９を介してＣＰＵ３２に、第２グラフィック画像データの生成を指示する。なお、Ｓ２０３の処理は、集積回路３１への電力供給が開始された後に行われる。Ｓ２０３の処理の結果、第２部分領域１０４内に第２グラフィック画像が表示される。
【００８３】
Ｓ２０４では、ＣＰＵ５が、収納状態検出部２で得られた巻き取り量Ｍの時間変化に基づいて、表示部１０の巻き取りが行われているか否かを判断する。巻き取り量Ｍが増加する時間変化（プラス変化）の場合には、表示部１０の巻き取りが行われていると判断され、Ｓ２０５に処理が進められる。それ以外の場合には、表示部１０の引き出しも巻き取りも行われていないと判断され、本フローチャートが終了される。
【００８４】
巻き取り量Ｍが（Ｘ／２）±ＭＧの範囲内の値であり、且つ、表示部１０の巻き取りが行われている場合には、非収納領域に第２部分領域１０４が含まれないこととなる。そのため、Ｓ２０５では、ＣＰＵ３２が、データ転送部９を介してＣＰＵ５に、第２グラフィック画像データを転送する。Ｓ２０５の処理が行われる前に、非収納領域は、第２部分領域１０４を含む。そのため、Ｓ２０５の処理が行われる前に、ＣＰＵ３２によって、第２グラフィック画像データが生成される。なお、集積回路３１への電力供給の停止は、Ｓ２０５の処理の後に行われる。Ｓ２０５の処理の結果、第１部分領域１０３内に第２グラフィック画像が表示される。
【００８５】
以上述べたように、本実施例によれば、グラフィック画像が表示される部分領域である第１領域が収納部に収納されている場合に、収納部に収納されていない部分領域である第２領域内に、グラフィック画像の表示領域が移動される。それにより、ユーザが収納状態に依らずグラフィック画像を確認可能となる。また、第１領域が収納部から取り出された場合に、グラフィック画像の表示領域が第１領域内に戻される。それにより、グラフィック画像の表示位置を元の位置に戻すユーザ操作を省くことができ、利便性を向上することができる。
【００８６】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８７】
２：収納状態検出部  ４：第１画像処理部  ５，３２：ＣＰＵ  ７：第２画像処理部
１０：表示部  ２１：第３画像処理部  ２２：第４画像処理部
１００，２００，３００：画像表示装置  １０１：収納部
【図１】
2017003823.tif 000003
【図２】
2017003823.tif 000004
【図３】
2017003823.tif 000005
【図４】
2017003823.tif 000006
【図５】
2017003823.tif 000007
【図６】
2017003823.tif 000008
【図７】
2017003823.tif 000009
【図８】
2017003823.tif 000010
【図９】
2017003823.tif 000011